(57)【要約】【課題】カバー部材とフレーム部材との正しい位置関係を保つカメラおよびカメラの製造方法を提供する。【解決手段】前部カバー２００は、隣接する２面である底面２２０と右側側面２５０とで本体フレーム１００に取り付けられ、本体フレーム１００に対する位置決めがなされる。後部カバー３００は、隣接する２面である底面３２０と右側側面３５０とで本体フレーム１００に取り付けられ、本体フレーム１００に対する位置決めがなされる。本体フレーム１００とは遊離した固定板４００を介して左側側面２４０と左側側面３４０とを連結する。前部カバー２００の上面２３０の内側に固定された板部材６０を用いて前部カバー２００の上面２３０と後部カバー３００の上面３３０とを連結する。【選択図】図１
2007219249.tif 000002
【特許請求の範囲】
【請求項１】
第１のカバー部材と
第２のカバー部材と、
前記第１のカバー部材と前記第２のカバー部材との少なくとも一方に形成される開口部を介して外部から目視し得る部材が取り付けられるフレーム部材とを備え、
前記第１のカバー部材は、第１面および前記第１面と隣接する第２面が前記フレーム部材に取り付けられ、前記第１面および第２面とは異なる面が前記第２のカバー部材に、直接または前記フレーム部材とは異なる他の部材を介して取り付けられていることを特徴とするカメラ。
【請求項２】
請求項１に記載のカメラにおいて、
前記第２のカバー部材は、前記第１のカバー部材の前記第１面が取り付けられる前記フレーム部材の第１取り付け面と、前記第１のカバー部材の前記第２面が取り付けられる前記フレーム部材の第２取り付け面との少なくとも一方の取り付け面に取り付けられていることを特徴とするカメラ。
【請求項３】
請求項１に記載のカメラにおいて、
前記第１のカバー部材が前記フレーム部材に前記第１面および第２面で取り付けられることにより、前記目視し得る部材と前記第１のカバー部材との位置決めがなされることを特徴とするカメラ。
【請求項４】
請求項２に記載のカメラにおいて、
前記第２のカバー部材が前記フレーム部材の前記第１取り付け面と前記第２取り付け面との少なくとも一方に取り付けられることにより、前記目視し得る部材と前記第２のカバー部材との位置決めがなされることを特徴とするカメラ。
【請求項５】
請求項１〜４のいずれか一項に記載のカメラにおいて、
前記目視し得る部材は、レンズ鏡筒、表示モニタ、被写体に光を照射する発光部のうちの少なくともいずれか１つであることを特徴とするカメラ。
【請求項６】
第１および第２のカバー部材を介して外部から目視し得る部材が取り付けられるフレーム部材に、前記第１のカバー部材の第１面および前記第１面と隣接する第２面を取り付け、
前記第１のカバー部材の前記第１面および第２面とは異なる面に、前記第２のカバー部材を、直接または前記フレーム部材とは異なる他の部材を介して取り付けることを特徴とするカメラの製造方法。
【請求項７】
請求項６に記載のカメラの製造方法において、
前記第２のカバー部材を、前記第１のカバー部材の前記第１面が取り付けられる前記フレーム部材の第１取り付け面と、前記第１のカバー部材の前記第２面が取り付けられる前記フレーム部材の第２取り付け面との少なくとも一方の取り付け面に取り付けることを特徴とするカメラの製造方法。
【請求項８】
請求項６に記載のカメラの製造方法において、
前記第１のカバー部材を前記フレーム部材に前記第１面および第２面で取り付けることにより、前記目視し得る部材と前記第１のカバー部材との位置決めがなされることを特徴とするカメラの製造方法。
【請求項９】
請求項７に記載のカメラの製造方法において、
前記第２のカバー部材を前記フレーム部材の前記第１取り付け面と前記第２取り付け面との少なくとも一方に取り付けることにより、前記目視し得る部材と前記第２のカバー部材との位置決めがなされることを特徴とするカメラの製造方法。
【発明の詳細な説明】
【技術分野】
【０００１】
本発明は、組み立て精度のよいカメラおよびその製造方法に関する。
【背景技術】
【０００２】
カメラの組み立てに際しては、レンズ鏡筒や表示部など、カメラの内装部品を一体的に組み立て、この一体的に組み立てられた部材に対して外装カバーを取り付けることでカメラを組み立てている（特許文献１参照）。
【０００３】
【特許文献１】特開２００４−１０４６３２号公報
【発明の開示】
【発明が解決しようとする課題】
【０００４】
従来のカメラでは、内装部品が一体的に組み立てられた部材に対して、たとえば上面および下面という対向する２面で外装カバーを固定している。内装部品の寸法公差の累積や部品自体の取付位置の変動などによって、内装部品が一体的に組み立てられた部材側と外装カバー側とでは上下面間の距離に差が生じることがある。そのため、内装部品が一体的に組み立てられた部材に対して、外装カバーが上側または下側のどちらかにずれて取り付けられる恐れがあり、いずれの方向にずれるかも定かでない。
【課題を解決するための手段】
【０００５】
（１）  請求項１または請求項６に記載の発明は、第１のカバー部材と第２のカバー部材との少なくとも一方に形成される開口部を介して外部から目視し得る部材が取り付けられるフレーム部材に、第１のカバー部材の第１面および前記第１面と隣接する第２面を取り付け、第１のカバー部材の第１面および第２面とは異なる面に、第２のカバー部材を、直接またはフレーム部材とは異なる他の部材を介して取り付けることを特徴とする。
（２）  また、第１のカバー部材をフレーム部材に第１面および第２面で取り付けることにより、目視し得る部材と第１のカバー部材との位置決めがなされるようにしてもよい。
（３）  また、第２のカバー部材を、第１のカバー部材の第１面が取り付けられるフレーム部材の第１取り付け面と、第１のカバー部材の第２面が取り付けられるフレーム部材の第２取り付け面との少なくとも一方の取り付け面に取り付けてもよい。この場合、第２のカバー部材をフレーム部材の第１取り付け面と第２取り付け面との少なくとも一方に取り付けることにより、目視し得る部材と第２のカバー部材との位置決めがなされるようにしてもよい。
（４）  目視し得る部材は、レンズ鏡筒、表示モニタ、被写体に光を照射する発光部のうちの少なくともいずれか１つであることが望ましい。
【発明の効果】
【０００６】
本発明によれば、カバー部材とフレーム部材との位置関係を正しいものにできる。
【発明を実施するための最良の形態】
【０００７】
図１〜１１を参照して、本発明によるカメラおよびカメラの製造方法の一実施の形態を説明する。なお、本実施の形態では、前後左右および上下方向を各図に記載したように規定する。図１，２は、本実施の形態のカメラの分解図である。カメラ１は、不図示の撮像素子によって被写体像を撮像する、いわゆるコンパクトデジタルカメラと呼ばれるカメラである。カメラ１は、カメラ１の主要な構成要素が取り付けられる本体フレーム１００と、本体フレーム１００に取り付けられる外装カバーである前部カバー２００および後部カバー３００と、前部カバー２００と後部カバー３００とを連結して固定する固定板４００とを備えている。
【０００８】
本体フレーム１００には、前部カバー２００および後部カバー３００が取り付けられる取付部１１０，１２０が設けられている。本体フレーム１００には、レンズ鏡筒１０１と、レンズ駆動機構１０２と、発光部１０３と、液晶表示モニタ１０４と、電池室１０５とが位置決めされた上で取り付けられている。
【０００９】
取付部１１０は本体フレーム１００の下面に設けられ、各カバー２００，３００を段付きビス４０で固定するための４箇所のメネジ部１１１〜１１４を有する。取付部１２０は本体フレーム１００の右側の側面に設けられ、各カバー２００，３００をビス５０で固定するための４箇所のメネジ部１２１を有する。なお、取付部１１０，１２０の詳細、および、各カバー２００，３００の取り付けについては後述する。
【００１０】
レンズ鏡筒１０１は、被写体像を撮像するためのレンズを保持する部材であり、本体フレーム１００の前面の左側下部に設けられ、本体フレーム１００の前方に向かって伸縮可能である。レンズ駆動機構１０２は、合焦および焦点距離変更のためにレンズ鏡筒１０１で保持されたレンズを駆動する装置であり、レンズ鏡筒１０１の上部に設けられている（図２）。
【００１１】
発光部１０３は、被写体に光を照射する発光管を有する発光装置であり、レンズ鏡筒１０１の上部に設けられている。液晶表示モニタ１０４は、レンズを介して撮像素子で捉えられた被写体像や、カメラ１の各部の情報などを表示する液晶表示装置であり、本体フレーム１００の後方の面（背面）に取り付けられている。電池室１０５は、カメラ１の駆動源となる不図示の電池を収納する部位であり、本体フレーム１００の前面の右側に設けられている。
【００１２】
前部カバー２００は、本体フレーム１００の前部に取り付けられてカメラ１のボディ（外装）の一部を構成する第１のカバー部材であり、本体フレーム１００を前方から覆う前面２１０と、前面２１０の周縁で後方に延在する底面２２０、上面２３０、および左右の側面２４０，２５０とを有する。
【００１３】
前面２１０には、鏡筒開口部２１１と、発光部開口部２１２とが設けられている。鏡筒開口部２１１は、本体フレーム１００に取り付けられたレンズ鏡筒１０１が伸縮する際に通過する開口部であり、前面２１０の左側下部に設けられている。発光部開口部２１２は、本体フレーム１００に取り付けられた発光部１０３が発する光を前方の被写体に照射するための開口部であり、鏡筒開口部２１１の上方に設けられている。したがって、前部カバー２００が本体フレーム１００に取り付けられていても、これらの開口部２１１，２１２を介してレンズ鏡筒１０１および発光部１０３を外部から視認できる。底面２２０、上面２３０、および左右の側面２４０，２５０については後述する。
【００１４】
後部カバー３００は、本体フレーム１００の後部に取り付けられてカメラ１のボディ（外装）の一部を構成する第２のカバー部材であり、本体フレーム１００を後方から覆う背面３１０と、背面３１０の周縁で前方に延在する底面３２０、上面３３０、および左右の側面３４０，３５０とを有する。
【００１５】
背面３１０には、液晶表示モニタ開口部３１１が設けられている。液晶表示モニタ開口部３１１は、本体フレーム１００に取り付けられた液晶表示モニタ１０４を外部から視認可能とするための開口部である。底面３２０、上面３３０、および左右の側面３４０，３５０については後述する。
【００１６】
上述のように固定板４００は、前部カバー２００と後部カバー３００とを連結して固定するための板状部材であり、本体フレーム１００とは独立した別部材である（図２）。固定板４００にはビス５０が螺合される４箇所のメネジ部４０１が設けられている。
【００１７】
−−−前部カバー２００および後部カバー３００の取り付け−−−
前部カバー２００は、底面２２０が段付きビス４０によって本体フレーム１００の取付部１１０に固定され、右側側面２５０がビス５０によって本体フレーム１００の取付部１２０に固定される。後部カバー３００は、底面３２０が段付きビス４０によって本体フレーム１００の取付部１１０に固定され、左側側面３４０がビス５０によって本体フレーム１００の取付部１２０に固定される。以下、各面２２０，２５０，３２０，３５０と取付部１１０，１２０との固定方法について詳述する。
【００１８】
−−−前部カバー２００と本体フレーム１００との固定−−−
図３は、カメラ１の底部を下方から見た図であり、図４は、図３のＩＶ−ＩＶ矢視図であり、図５は、後方下部から見た前部カバー２００の底面２２０を模式的に示す斜視図である。底面２２０には、位置決め穴２２１，２２６が設けられている。位置決め穴２２１は段付き穴形状を呈しており、上方の穴（嵌合穴）２２３の径が下方の穴（座ぐり穴）２２２の径よりも小さい。嵌合穴２２３の直径、すなわち内周面２２３ａの直径は、段付きビス４０の頭部であるフランジ部分４１と、先端のオネジ部４３との間にある円筒部４２の直径と略等しい（図５）。
【００１９】
位置決め穴２２６は左右方向に長い段付き穴形状を呈しており、上方の穴（嵌合長穴）２２８の径が下方の穴（座ぐり長穴）２２７の径よりも小さい。嵌合長穴２２８の前後方向の直径、すなわち内周面２２８ａの前後方向の径は、段付きビス４０の円筒部４２の直径と略等しい。嵌合長穴２２８の左右方向の径、すなわち内周面２２８ａの左右方向の径は、段付きビス４０の円筒部４２の直径よりも大きい。
【００２０】
前部カバー２００の底面２２０を本体フレーム１００の取付部１１０に固定する際には、まず、段付きビス４０を位置決め穴２２１に挿通して、オネジ部４３をメネジ部１１１に螺合させる（図１，３〜５）。このとき、段付きビス４０の円筒部４２は、嵌合穴２２３の内周面２２３ａの全面で隙間なく嵌合するので、取付部１１０に対する底面２２０（すなわち前部カバー２００）の前後左右方向の位置が規定されて固定される。段付きビス４０のフランジ部分４１の座面が座ぐり穴２２２の座面２２２ａを押圧して、取付部１１０との間で底面２２０を挟み込む。
【００２１】
次いで、段付きビス４０を位置決め穴２２６に挿通して、オネジ部４３をメネジ部１１２に螺合させる。このとき、段付きビス４０の円筒部４２は、嵌合穴２２８の内周面２２８ａの前後方向の面で隙間なく嵌合するので、本体フレーム１００の取付部１１０に対して、メネジ部１１１の上下方向に延在する軸を中心とした前部カバー２００の底面２２０（すなわち前部カバー）の回動位置が規定されて固定される。これにより、本体フレーム１００と前部カバー２００とが左右方向に沿って互いに平行となる。また、段付きビス４０のフランジ部分４１の座面が座ぐり穴２２７の座面２２７ａを押圧して、取付部１１０との間で底面２２０を挟み込む。
【００２２】
なお、段付きビス４０の円筒部４２と、嵌合穴２２８の内周面２２８ａの左右方向の面との間には隙間があるので、メネジ部１１１，１１２間の寸法と、位置決め穴２２１，２２６間の寸法に差があっても、前部カバー２００の底面２２０を本体フレーム１００の取付部１１０に無理なく固定できる。
【００２３】
図６は、カメラ１の右側側面を示す図であり、図７は、図６のＶＩＩ−ＶＩＩ矢視図である。本体フレーム１００の取付部１２０には、上述したメネジ部１２１の他に、当接部１２２，１２３が立設されている。前部カバー２００の右側側面２５０には、上下方向に沿った２箇所にビス５０が挿通される穴２５１が設けられている。
【００２４】
前部カバー２００の右側側面２５０は、後方端面２５０ａの上部が当接部１２２に前方から当接した状態で取付部１２０に固定される。これにより、本体フレーム１００に対する前部カバー２００の前後方向の倒れを防止できる。
【００２５】
このように、前部カバー２００は、隣接する２面である底面２２０と右側側面２５０とで本体フレーム１００に取り付けられ、本体フレーム１００に対する位置決めがなされる。すなわち、前部カバー２００を隣接する２面で本体フレーム１００に取り付けることで、本体フレーム１００に取り付けられたカメラ１の主要な構成要素であるレンズ鏡筒１０１や発光部１０３と、前部カバー２００の鏡筒開口部２１１や発光部開口部２１２との位置関係が決定される。
【００２６】
−−−後部カバー３００と本体フレーム１００との固定−−−
図８は、後方下部から見た後部カバー３００の底面３２０を模式的に示す斜視図である。図３，８に示すように、底面３２０には位置決め穴３２１，３２６が設けられている。位置決め穴３２１は前後方向に長い段付き穴形状を呈しており、上方の穴（嵌合長穴）３２３の径が下方の穴（座ぐり長穴）３２２の径よりも小さい。嵌合長穴３２３の左右方向の直径、すなわち内周面３２３ａの左右方向の径は、段付きビス４０の円筒部４２の直径と略等しい。嵌合長穴３２３の前後方向の径、すなわち内周面３２３ａの前後方向の径は、段付きビス４０の円筒部４２の直径よりも大きい。
【００２７】
位置決め穴３２６は段付き穴形状を呈しており、上方の穴（嵌合穴）３２８の径が下方の穴（座ぐり穴）３２７の径よりも小さい。嵌合穴３２８の直径、すなわち内周面３２８ａの直径は、段付きビス４０の円筒部４２の直径よりも大きく、内周面３２３ａの前後方向の径と略等しい。
【００２８】
後部カバー３００は、前部カバー２００が本体フレーム１００に取り付けられた後に取り付けられる。すなわち、本体フレーム１００に対して前部カバー２００が位置決めされた後に後部カバー３００が本体フレーム１００に対して取り付けられる。後部カバー３００の底面３２０を本体フレーム１００の取付部１１０に固定する際には、まず、段付きビス４０を位置決め穴３２１に挿通して、オネジ部４３をメネジ部１１３に螺合させる（図１，３，４，８）。
【００２９】
このとき、段付きビス４０の円筒部４２は、嵌合穴３２３の内周面３２３ａの左右方向の面で隙間なく嵌合するので、取付部１１０に対する底面３２０（すなわち後部カバー３００）の左右方向の位置が規定されて固定される。取付部１１０に対する底面３２０（すなわち後部カバー３００）の前後方向の位置は、底面３２０の前方端面３２０ａを前部カバー２００の底面２２０の後方端面２２０ａに当接させることで規定される（図３，４）。段付きビス４０のフランジ部分４１の座面が座ぐり穴３２２の座面３２２ａを押圧して、取付部１１０との間で底面３２０を挟み込む。
【００３０】
次いで、段付きビス４０を位置決め穴３２６に挿通して、底面３２０の前方端面３２０ａを前部カバー２００の底面２２０の後方端面２２０ａに当接させた状態でオネジ部４３をメネジ部１１４に螺合させる。段付きビス４０の円筒部４２と、嵌合穴３２８の内周面３２８ａとの間に隙間があるので、底面３２０の前方端面３２０ａを前部カバー２００の底面２２０の後方端面２２０ａに当接させた状態で後部カバー３００の底面３２０を本体フレーム１００の取付部１１０に無理なく固定できる。
【００３１】
これにより、本体フレーム１００と後部カバー３００とが左右方向に沿って互いに平行となる。また、底面３２０の前方端面３２０ａと前部カバー２００の底面２２０の後方端面２２０ａとの間に隙間がなくなるので見栄えがよくなる。段付きビス４０のフランジ部分４１の座面が座ぐり穴３２７の座面３２７ａを押圧して、取付部１１０との間で底面３２０を挟み込む。
【００３２】
後部カバー３００の右側側面３５０には、上下方向に沿った２箇所にビス５０が挿通される穴３５１が設けられている（図６，７）。右側側面３５０は、後方端面３５０ａの上部が当接部１２３に後方から当接した状態で取付部１２０に固定される。これにより、本体フレーム１００に対する後部カバー３００の前後方向の倒れを防止できる。
【００３３】
このように、後部カバー３００は、隣接する２面である底面３２０と右側側面３５０とで本体フレーム１００に取り付けられ、本体フレーム１００に対する位置決めがなされる。すなわち、後部カバー３００を隣接する２面で本体フレーム１００に取り付けることで、本体フレーム１００に取り付けられたカメラ１の主要な構成要素である液晶表示モニタ１０４と、後部カバー３００の液晶表示モニタ開口部３１１との位置関係が決定される。
【００３４】
−−−前部カバー２００と後部カバー３００との連結−−−
前部カバー２００および後部カバー３００は、上面２３０，３３０および左側側面２４０，３４０が本体フレーム１００および本体フレームに取り付けられている部材には取り付けられず、後述するように上面２３０，３３０同士および左側側面２４０，３４０同士が連結されている。
【００３５】
図９は、カメラ１の左側側面を示す図であり、図１０は、図９のＸ−Ｘ矢視図である。前部カバー２００の左側側面２４０には、上下方向に沿った２箇所にビス５０が挿通される穴２４１が設けられ、後部カバー３００の左側側面３４０には、上下方向に沿った２箇所にビス５０が挿通される穴３４１が設けられている。
【００３６】
上述のように、前部カバー２００および後部カバー３００を本体フレーム１００に取り付けた後、本体フレーム１００から遊離した別部材である固定板４００を介して左側側面２４０と左側側面３４０とを連結する。すなわち、ビス５０を各穴２４１，３４１に挿通させて、固定板４００のメネジ部４０１に螺合させる。これにより、左側側面２４０と左側側面３４０との相対位置が決定される。
【００３７】
前部カバー２００上面２３０と後部カバー３００の上面３３０とは、次のように連結される。図１１は、カメラ１を右側から見たときの上面２３０，３３０の近傍の断面図である。６０は板部材であり、前半部分が前部カバー２００の上面２３０の内側にかしめなどによって固定されている。板部材６０の後半部分には、後部カバー３００の上面３３０の内面と重なる部分に穴６１が設けられている。後部カバー３００の上面３３０の内面には凸部３３１が設けられている。
【００３８】
板部材６０が取り付けられた前部カバー２００の後端部分２３０ａと後部カバー３００の前端部分３３０ａとを当接させると、板部材６０の穴６１に後部カバー３００の上面３３０の凸部３３１が係合する。このように、板部材６０を用いて前部カバー２００の上面２３０と後部カバー３００の上面３３０とを連結することで、前部カバー２００と後部カバー３００とが上面で開くのを防止している。
【００３９】
前部カバー２００および後部カバー３００は、上述したように本体フレーム１００に対して取り付けられる。
【００４０】
従来のカメラでは、たとえば底面と上面、右側側面と左側側面のように対向する２面で、前部カバーおよび後部カバーが本体フレームもしくは本体フレームに取り付けられた部品に対して固定されている。しかし、本体フレームに取り付けられる部品の寸法公差の累積や部品自体の取付位置の変動、カバー側の寸法精度などによって、本体フレーム側とカバー側とでは対向する上下面間の距離に差が生じることがある。そのため、本体フレームに対して各カバーが底面側または上面側に偏った状態で取り付けられたり、各カバーや本体フレームに歪みや変形が生じたりすることがある。これにより、本体フレームに取り付けられた部品と各カバーとの間の位置関係がずれてしまう。
【００４１】
たとえば、本体フレームに取り付けられたレンズ鏡筒と、伸縮するレンズ鏡筒が通過する前部カバーの鏡筒開口部との位置がずれると、正面からの見栄えが悪いばかりでなく、レンズ鏡筒と鏡筒開口部との擦れが生じるなどの不具合が生じることがある。また、本体フレームに設けられた液晶表示モニタと、この液晶表示モニタを視認可能とする後部カバーの液晶表示モニタ開口部との位置がずれると、液晶表示モニタの表示面の一部が後部カバーで遮られてしまう。本体フレームに設けられた発光部と、この発光部が発する光を前方の被写体に照射するための開口部との位置がずれると、発光部が発する光の一部が前部カバーで遮られ、本来の照射範囲に光が照射されないこととなる。
【００４２】
これに対して本実施の形態のカメラ１では、上述したように、本体フレーム１００および本体フレーム１００に取り付けられるカメラ１の主要な構成要素に対する前部カバー２００および後部カバー３００の位置決めを、カメラ１の底面、および、底面に隣接する片方の側面の２面のみで行っている。そのため、上述したような従来のカメラで生じる恐れのある不具合が発生しない。
【００４３】
すなわち、本実施の形態のカメラ１およびその製造方法では、次の作用効果を奏する。
（１）  前部カバー２００の底面２２０と、底面２２０に隣接する右側側面２５０とを本体フレーム１００に取り付けるように構成した。したがって、本体フレーム１００に対して前部カバー２００が上下方向や左右方向にずれて取り付けられたり、前部カバー２００や本体フレーム１００に歪みや変形が生じたりするという不具合がなくなる。これにより、本体フレーム１００と前部カバー２００との位置関係を正しいものにできる。
【００４４】
（２）  前部カバー２００と同様に、本体フレームの取付部１１０，１２０に後部カバー３００を取り付けたので、前部カバー２００の場合と同様に、本体フレーム１００と後部カバー３００との位置関係を正しいものにできる。また、後部カバー３００と前部カバー２００との相対位置のずれがなくなり、見栄えがよくなる。
【００４５】
（３）  固定板４００を介して前部カバー２００および後部カバー３００の左側側面２４０，３４０同士を連結した。また、前部カバー２００の後端部分２３０ａと後部カバー３００の前端部分３３０ａとを当接させて、板部材６０を用いて前部カバー２００および後部カバー３００の上面２３０，３３０同士を連結した。これにより、本体フレーム１００と各カバー２００，３００との正しい位置関係を保った状態で前部カバー２００と後部カバー３００との開きを防止できる。
【００４６】
（４）  底面２２０と、底面２２０に隣接する右側側面２５０とを本体フレーム１００に取り付けることで、本体フレーム１００に取り付けられた目視可能なカメラ１の主要な構成要素、すなわちレンズ鏡筒１０１や発光部１０３に対して、前部カバー２００が位置決めされるように構成した。これにより、カメラ１の見栄えがよくなる。また、レンズ鏡筒１０１と鏡筒開口部２１１との擦れや、前部カバー２００による発光部１０３が発する光の遮りといった不具合の発生を防止して、カメラ１の品質および性能を向上できる。
【００４７】
（５）  底面３２０と、底面３２０に隣接する右側側面３５０とを本体フレーム１００に取り付けることで、本体フレーム１００に取り付けられた目視可能なカメラ１の主要な構成要素である液晶表示モニタ１０４に対して、後部カバー３００が位置決めされるように構成した。これにより、液晶表示モニタ１０４の表示面の一部が後部カバー３００で遮られることがなくなるので、カメラ１の見栄えおよび品質を向上できる。
【００４８】
−−−変形例−−−
（１）  上述の説明では、前部カバー２００の底面２２０には、嵌合穴２２３を有する位置決め穴２２１が右側に設けられ、嵌合長穴２２８を有する位置決め穴２２６が左側に設けられているが、本発明はこれに限定されず、位置決め穴２２１，２２６が左右で入れ替わっていてもよい。同様に、後部カバー３００の底面３２０に設けられた位置決め穴３２１，３２６が左右で入れ替わっていてもよい。
【００４９】
（２）  上述の説明では、各カバー２００，３００の底面２２０，３２０と、底面２２０，３２０に隣接する右側側面２５０，３５０とを本体フレーム１００に取り付けるように構成したが本発明はこれに限定されない。隣接する２面であれば、底面２２０，３２０および右側側面２５０，３５０の２面に限らず、底面２２０，３２０および左側側面２４０，３４０の２面、左側側面２４０，３４０および上面２３０，３３０の２面、または、上面２３０，３３０および右側側面２５０，３５０の２面を本体フレーム１００に取り付けるように構成してもよい。
【００５０】
（３）  上述の説明では、レンズ鏡筒１０１が前部カバー２００の前方に突出するように構成しているが、本発明はこれに限定されない。たとえば、レンズ鏡筒が前部カバー２００から外部に突出しない構成のカメラに対して本発明を適用してもよい。この場合、前部カバーによる発光部が発する光の遮りや、液晶表示モニタの表示面の一部が後部カバーで遮られるといった不具合の発生を防止できるなど、上述した作用効果と同様の作用効果を奏する。
【００５１】
（４）  上述の説明では、各カバー２００，３００の底面２２０，３２０に設けられた位置決め穴２２１，２２６，３２１，３２６と、段付きビス４０とによって、本体フレーム１００に対して各カバー２００，３００を位置決めしているが、本発明はこれに限定されない。たとえば、本体フレーム１００の取付部１１０および各カバー２００，３００の底面２２０，３２０のいずれか一方にボスを設け、このボスと嵌合する穴を他方に設けて、このボスと穴とを嵌合させることで本体フレーム１００に対して各カバー２００，３００を位置決めしてもよい。すなわち、本体フレーム１００の取付部１１０と各カバー２００，３００の底面２２０，３２０との相対位置を規定できる構造であれば、上述した構造に限定されない。
【００５２】
（５）  上述の説明では、カメラ１はいわゆるコンパクトデジタルカメラと呼ばれるカメラであるが、本発明はこれに限定されない。たとえば、銀塩フィルムを用いるコンパクトカメラに本発明を適用してもよい。この場合、レンズ鏡筒と鏡筒開口部との擦れや、前部カバーによる発光部が発する光の遮りといった不具合の発生を防止できるなど、上述した作用効果と同様の作用効果を奏する。また、デジタル一眼レフカメラに本発明を適用してもよい。この場合、液晶表示モニタの表示面の一部が後部カバーで遮られることがなくなるなど、上述した作用効果と同様の作用効果を奏する。
（６）  上述した各実施の形態および変形例は、それぞれ組み合わせてもよい。
【００５３】
なお、本発明は、上述した実施の形態のものに何ら限定されず、第１および第２のカバー部材を介して外部から目視し得る部材が取り付けられるフレーム部材に、第１のカバー部材の第１面および第１面と隣接する第２面を取り付け、第１のカバー部材の第１面および第２面とは異なる面に、第２のカバー部材を、直接またはフレーム部材とは異なる他の部材を介して取り付ける各種構造のカメラおよびその製造方法を含むものである。
【図面の簡単な説明】
【００５４】
【図１】本実施の形態のカメラの分解図である。
【図２】本実施の形態のカメラの分解図である。
【図３】カメラ１の底部を下方から見た図である。
【図４】図３のＩＶ−ＩＶ矢視図である。
【図５】後方下部から見た前部カバー２００の底面２２０を模式的に示す斜視図である。
【図６】カメラ１の右側側面を示す図である。
【図７】図６のＶＩＩ−ＶＩＩ矢視図である。
【図８】後方下部から見た後部カバー３００の底面３２０を模式的に示す斜視図である。
【図９】カメラ１の左側側面を示す図である。
【図１０】図９のＸ−Ｘ矢視図である。
【図１１】カメラ１を右側から見たときの上面２３０，３３０の近傍の断面図である。
【符号の説明】
【００５５】
１  カメラ（コンパクトデジタルカメラ）        １００  本体フレーム
１０１  レンズ鏡筒                            １０３  発光部
１０４  液晶表示モニタ                        １１０，１２０  取付部
２００  前部カバー                            ２２０  底面
２３０  上面                                  ２４０  左側側面
２５０  右側側面                              ３００  後部カバー
３２０  底面                                  ３３０  上面
３４０  左側側面                              ３５０  右側側面
４００  固定板
【図１】
2007219249.tif 000003
【図２】
2007219249.tif 000004
【図３】
2007219249.tif 000005
【図４】
2007219249.tif 000006
【図５】
2007219249.tif 000007
【図６】
2007219249.tif 000008
【図７】
2007219249.tif 000009
【図８】
2007219249.tif 000010
【図９】
2007219249.tif 000011
【図１０】
2007219249.tif 000012
【図１１】
2007219249.tif 000013